(57)【要約】  本願の実施は、サービス実行方法及びデバイスを提供する。本方法において、サーバは、端末デバイスによって送信されるＷｅｂページサービス要求に基づいて、対応するＷｅｂページを返送し、それにより、端末デバイスはＷｅｂページを用いて、指定されたアプリをウェイクアップさせ、アプリはＷｅｂページサービス要求に対応するサービス実行要求を送信する。最終的に、サーバはサービス実行要求に基づいてサービスを実行する。本方法によれば、Ｗｅｂページサービス要求を送信するブラウザが、指定されたアプリのＳＤＫを組み込んでいなくても、指定されたアプリは、受信したＷｅｂページを実行することによってウェイクアップさせることができ、アプリ及びサーバを用いてサービスを実行できる。それにより、ユーザ操作の利便性を効果的に向上させ、サービス実行中のブラウザアプリに対する要件を緩和し、サービス実行効率を向上させることができる。
2019513260.tif 000002
【特許請求の範囲】
【請求項１】
端末デバイスにより送信されるＷｅｂページサービス要求を、サーバによって受信するステップと；
前記Ｗｅｂページサービス要求に基づいてＷｅｂページを前記端末デバイスへ返送するステップであって、それにより、前記端末デバイスが前記Ｗｅｂページを用いて、指定されたアプリケーション（アプリ）をウェイクアップさせる、前記返送するステップと；
前記アプリによって送信され且つ前記Ｗｅｂページサービス要求に対応するサービス実行要求を受信するステップと；
前記サービス実行要求に基づいてサービスを実行するステップと；を備える、
サービス実行方法。
【請求項２】
前記Ｗｅｂページサービス要求に基づいてＷｅｂページを前記端末デバイスへ返送する前記ステップは：
前記Ｗｅｂページサービス要求に基づいてサービスパラメータを特定するステップであって、前記サービスパラメータはサービス識別子（ＩＤ）を含む、前記特定するステップと；
前記サービスＩＤを含むＷｅｂページを前記端末デバイスへ返送するステップと；を備え、
前記アプリによって送信され且つ前記Ｗｅｂページサービス要求に対応するサービス実行要求を受信する前記ステップは：
前記サービスＩＤに基づいて前記アプリによって送信され且つ前記Ｗｅｂページサービス要求に対応するサービス実行要求を受信するステップを備える、
請求項１に記載のサービス実行方法。
【請求項３】
前記サービス実行要求に基づいてサービスを実行する前記ステップの前に：
前記Ｗｅｂページサービス要求を受信するための基準としての役割を果たすセッションを、前記サービスＩＤに対応するセッションとして用いるステップと；
前記特定されたサービスパラメータを、前記サービスＩＤに対応する前記セッションに保存するステップと；を備え、
前記サービス実行要求に基づいてサービスを実行する前記ステップは：
前記サービス実行要求に含まれる前記サービスＩＤに基づいて、前記サービスＩＤに対応する前記セッションを特定するステップと；
前記特定されたセッションから前記サービスパラメータを抽出するステップと；
前記抽出されたサービスパラメータに基づいて前記サービスを実行するステップと；を備える、
請求項２に記載のサービス実行方法。
【請求項４】
端末デバイスにより送信されるＷｅｂページサービス要求を前記サーバによって受信する前記ステップは：
サードパーティプラットフォームを用いて、前記端末デバイスによって送信されたＷｅｂページサービス要求を、サーバによって受信するステップを備え、
前記Ｗｅｂページサービス要求に基づいてＷｅｂページを前記端末デバイスへ返送する前記ステップは：
前記Ｗｅｂページサービス要求に基づき、前記サードパーティプラットフォームを用いて、Ｗｅｂページを前記端末デバイスへ返送するステップを備える、
請求項１に記載のサービス実行方法。
【請求項５】
前記Ｗｅｂページサービス要求に対して前記端末デバイスによって送信されたサービス結果問い合わせ情報を、前記サーバによって受信するステップと；
前記サーバが前記サービス実行要求に基づいて前記サービスを実行した後、前記サービス結果問い合わせ情報に対する問い合わせ結果を返送するステップと；を更に備える、
請求項１に記載のサービス実行方法。
【請求項６】
Ｗｅｂページサービス要求をサーバへ送信するステップと；
前記Ｗｅｂページサービス要求に基づいて前記サーバによって返送されたＷｅｂページを受信するステップと；
前記Ｗｅｂページを実行することによって、指定されたアプリをウェイクアップさせるステップであって、それにより、前記アプリが、前記Ｗｅｂページサービス要求に対応するサービス実行要求を前記サーバへ送信し、前記サーバが、前記サービス実行要求に基づいてサービスを実行する、前記ウェイクアップさせるステップと；を備える、
サービス実行方法。
【請求項７】
前記Ｗｅｂページサービス要求に基づいて前記サーバによって返送されるＷｅｂページを受信する前記ステップは：
サービスＩＤを含み且つ前記Ｗｅｂページサービス要求に基づいて前記サーバによって返送されるＷｅｂページを受信するステップを備え、
前記Ｗｅｂページを実行することによって、指定されたアプリをウェイクアップさせる前記ステップであって、それにより、前記アプリが、前記Ｗｅｂページサービス要求に対応するサービス実行要求を前記サーバへ送信し、前記サーバが、前記サービス実行要求に基づいてサービスを実行する、前記ステップは：
前記Ｗｅｂページを実行して前記指定されたアプリをウェイクアップさせ、前記サービスＩＤを前記アプリへ送るステップであって、それにより、前記アプリが前記サービスＩＤに基づいて前記サーバへサービス実行要求を送信する、前記送るステップを備える、
請求項６に記載のサービス実行方法。
【請求項８】
Ｗｅｂページサービス要求をサーバへ送信する前記ステップは：
サードパーティプラットフォームを用いて、Ｗｅｂページサービス要求を前記サーバへ送信するステップを備え、
前記Ｗｅｂページサービス要求に基づいて前記サーバによって返送されたＷｅｂページを受信する前記ステップは：
前記サードパーティプラットフォームを用いて、前記Ｗｅｂページサービス要求に基づいて、前記サーバによって返送された前記Ｗｅｂページを受信するステップを備える、
請求項６に記載のサービス実行方法。
【請求項９】
前記Ｗｅｂページを実行して前記Ｗｅｂページサービス要求に対するサービス結果問い合わせ情報を前記サーバへ送信するステップと；
前記サービス結果問い合わせ情報に対して前記サーバによって返送された問い合わせ結果を受信するステップであって、前記問い合わせ結果は、前記サーバが前記サービス実行要求に基づいて前記サービスを実行した後、前記サービス結果問い合わせ情報に対して返送される、前記サービス結果問い合わせ情報に対して前記サーバによって返送された問い合わせ結果を受信するステップと；を更に備える、
請求項６に記載のサービス実行方法。
【請求項１０】
端末デバイスによって送信されたＷｅｂページサービス要求を受信するように構成される第１の受信モジュールと；
前記Ｗｅｂページサービス要求に基づいて前記端末デバイスへＷｅｂページを返送するものであって、それにより、前記端末デバイスが前記Ｗｅｂページを用いて、指定されたアプリをウェイクアップするよう構成される返送モジュールと；
前記アプリによって送信され且つ前記Ｗｅｂページサービス要求に対応するサービス実行要求を受信するように構成される第２の受信モジュールと；
前記サービス実行要求に基づいてサービスを実行するように構成される実行モジュールと；を備える、
サービス実行デバイス。
【請求項１１】
前記返送モジュールは、前記Ｗｅｂページサービス要求に基づいてサービスパラメータを特定するように構成され、前記サービスパラメータはサービスＩＤを含み、そして、前記サービスＩＤを含むＷｅｂページを、前記端末デバイスへ返送するように構成され、
前記第２の受信モジュールは、前記サービスＩＤに基づいて前記アプリによって送信され且つ前記Ｗｅｂページサービス要求に対応するサービス実行要求を受信するように構成される、
請求項１０に記載のサービス実行デバイス。
【請求項１２】
前記実行モジュールは、更に、前記サービス要求に基づいて前記サービスを実行する前に、前記Ｗｅｂページサービス要求を受信するための基準としての役割を果たすセッションを、前記サービスＩＤに対応するセッションとして用いるように、そして、前記特定されたサービスパラメータを前記サービスＩＤに対応する前記セッションに保存するように構成され、
前記実行モジュールは、前記サービス実行要求に含まれる前記サービスＩＤに基づいて、前記サービスＩＤに対応する前記セッションを特定し、前記特定したセッションから前記サービスパラメータを抽出し、前記抽出したサービスパラメータに基づいて前記サービスを実行するように構成される、
請求項１１に記載のサービス実行デバイス。
【請求項１３】
前記第１の受信モジュールは、サードパーティプラットフォームを用いて前記端末デバイスにより送信されるＷｅｂページサービス要求を受信するように構成され、
前記返送モジュールは、前記Ｗｅｂページサービス要求に基づいて前記サードパーティプラットフォームを用いて、Ｗｅｂページを前記端末デバイスへ返送するように構成される、
請求項１０に記載のサービス実行デバイス。
【請求項１４】
前記Ｗｅｂページサービス要求に対して前記端末デバイスによって送信されたサービス結果問い合わせ情報を受信し、前記実行モジュールが前記サービス実行要求に基づいて前記サービスを実行した後、前記サービス結果問い合わせ情報に対する問い合わせ結果を返送するように構成される結果提供モジュールを更に備える、
請求項１０に記載のサービス実行デバイス。
【請求項１５】
Ｗｅｂページサービス要求をサーバへ送信するように構成される送信モジュールと；
前記Ｗｅｂページサービス要求に基づいて前記サーバによって返送されるＷｅｂページを受信するように構成される受信モジュールと；
前記Ｗｅｂページを実行することによって、指定されたアプリをウェイクアップさせ、それにより、前記アプリが前記Ｗｅｂページサービス要求に対応するサービス実行要求を前記サーバへ送信し、前記サーバが前記サービス実行要求に基づいてサービスを実行するように構成されるウェイクアップ及び実行モジュールと；を備える、
サービス実行デバイス。
【請求項１６】
前記受信モジュールは、サービスＩＤを含み且つ前記Ｗｅｂページサービス要求に基づいて前記サーバによって返送されるＷｅｂページを受信するように構成され、
前記ウェイクアップ及び実行モジュールは、前記Ｗｅｂページを実行して前記指定されたアプリをウェイクアップさせ、前記サービスＩＤを前記アプリへ送り、それにより、前記アプリが前記サービスＩＤに基づいてサービス実行要求を前記サーバへ送信するように構成される、
請求項１５に記載のサービス実行デバイス。
【請求項１７】
前記送信モジュールは、サードパーティプラットフォームを用いてＷｅｂページサービス要求を前記サーバへ送信するように構成され、
前記受信モジュールは、前記サードパーティプラットフォームを用いて、前記Ｗｅｂページサービス要求に基づき、前記サーバによって返送される前記Ｗｅｂページを受信するように構成される、
請求項１５に記載のサービス実行デバイス。
【請求項１８】
前記Ｗｅｂページを実行して前記Ｗｅｂページサービス要求に対するサービス結果問い合わせ情報を前記サーバへ送信し、前記サービス結果問い合わせ情報に対して前記サーバによって返送された問い合わせ結果を受信するように構成される問い合わせモジュールを更に備え、前記問い合わせ結果は、前記サーバが前記サービス実行要求に基づいて前記サービスを実行した後、前記サービス結果問い合わせ情報に対して返送される、
請求項１５に記載のサービス実行デバイス。
【発明の詳細な説明】
【技術分野】
【０００１】
本願は情報技術の分野に関し、特に、サービス実行方法及びデバイスに関する。
【背景技術】
【０００２】
情報社会が発展するにつれて、ユーザはネットワークを通じたサービスの実行に次第に慣れてきている。モバイルデバイスの発展と人気により、ユーザは、パーソナルコンピュータ（ＰＣ）だけに限定されることなく、モバイルデバイス（携帯電話及びタブレット等）を用いて、より頻繁にサービスを実行し始めている。
【０００３】
しかし、モバイルデバイスのオペレーティングシステム及びシステムバージョンは様々であるので、サービスを実行するシステム及びバージョンに対応する専用アプリケーション（アプリ）の開発には費用がかかる。
【０００４】
したがって、既存の技術において、コストを下げるために、サービスは、モバイルデバイスのブラウザにおけるＷｅｂページの形態で提供される、又は、モバイルデバイスのための専用アプリを開発する代わりに、モバイルデバイスのブラウザをカーネル（核）として用いてサービスを提供するように、アプリが開発されている。モバイルデバイスのブラウザをカーネルとして用いて開発されたアプリはブラウザとは呼ばれないが、ブラウザと同様に機能する、すなわち、Ｗｅｂページ接続を受信すること、Ｗｅｂページ情報を呼び出すこと、Ｗｅｂページを表示すること、検出された操作に基づいて情報を送信すること等によって、サービスを実行する。このアプリは、本質的にはモバイルデバイスのブラウザである。
【０００５】
しかし、悪意のあるプラグインはブラウザへ容易にインストールできるため、悪意のあるユーザによるブラウザ乗っ取りのリスクは一般に高くなる。その結果、ブラウザを介して送信されるセキュリティ関連情報（ＭＡＣアドレス、ＷｉＦｉ（登録商標）アドレス、及び地理的位置情報等）は、悪意のあるユーザによって容易に改竄され得るため、ブラウザを介して実行されるサービスの安全性を低下させる可能性がある。したがって、問題を解決するために、通常は、別のセキュリティサービスプラットフォームにより、実行されるサービスを監視し、リソースを格納し、ユーザＩＤを検証する方法を用いて、サービス実行に関係するリソースの安全性を確保している。
【０００６】
しかし、Ｗｅｂページを介してセキュリティサービスプラットフォームを用いる場合、ユーザは、通常、セキュリティサービスプラットフォーム上の対応するアカウントにログインする必要があり、その結果、複雑なユーザ操作が必要になる。その上、セキュリティサービスプラットフォームのページがブラウザを介して表示される場合、セキュリティサービスプラットフォームによって提供されるモバイルデバイスのためのローカル検証サービス（生体情報検証サービス等）をサポートすることができない。したがって、サービス実行の安全性及び利便性に悪影響を及ぼす。
【０００７】
ブラウザを介してサービスが実行される場合、ユーザが、セキュリティサービスプラットフォームによって提供される完全なサービスを得ることを望めば、ブラウザは、セキュリティサービスプラットフォームのソフトウェア開発キット（ＳＤＫ）を組み込み、且つ、ＳＤＫを用いてモバイルデバイス上のセキュリティサービスプラットフォームのローカルアプリをウェイクアップさせて、サービス実行に関係するリソースの安全性を確保する必要がある。それにより、サービスがブラウザを介して実行される場合に、ブラウザは新しい要件を負うことになる。
【０００８】
ブラウザを介してＷｅｂページを表示することによってサービスを実行するための既存の方法におけるサービス実行効率は、不便なユーザ操作及びブラウザに対する厳しい要件が原因で、低いことが分かる。
【発明の概要】
【０００９】
本願の実施は、サービス実行方法及びデバイスを提供して既存技術における問題、すなわち、ブラウザを介してＷｅｂページを表示することによってサービスを実行するための方法において、不便なユーザ操作及びブラウザに対する厳しい要件に起因する低いサービス実行効率を解決する。
【００１０】
本願の実施は、サービス実行方法を提供するものであり、この方法は：端末デバイスにより送信されるＷｅｂページサービス要求を、サーバによって受信するステップと；前記Ｗｅｂページサービス要求に基づいてＷｅｂページを前記端末デバイスへ返送するステップであって、それにより、前記端末デバイスが前記Ｗｅｂページを用いて、指定されたアプリケーション（アプリ）をウェイクアップさせる、前記返送するステップと；前記アプリによって送信され且つ前記Ｗｅｂページサービス要求に対応するサービス実行要求を受信するステップと；前記サービス実行要求に基づいてサービスを実行するステップと；を含む。
【００１１】
本願の実施は、サービス実行方法を提供するものであり、この方法は：Ｗｅｂページサービス要求をサーバへ送信するステップと；前記Ｗｅｂページサービス要求に基づいて前記サーバによって返送されたＷｅｂページを受信するステップと；前記Ｗｅｂページを実行することによって、指定されたアプリをウェイクアップさせるステップであって、それにより、前記アプリが、前記Ｗｅｂページサービス要求に対応するサービス実行要求を前記サーバへ送信し、前記サーバが、前記サービス実行要求に基づいてサービスを実行する、前記ウェイクアップさせるステップと；を含む。
【００１２】
本願の実施は、サービス実行デバイスを提供するものであり、このデバイスは：端末デバイスによって送信されたＷｅｂページサービス要求を受信するように構成される第１の受信モジュールと；前記Ｗｅｂページサービス要求に基づいて前記端末デバイスへＷｅｂページを返送するものであって、それにより、前記端末デバイスが前記Ｗｅｂページを用いて、指定されたアプリをウェイクアップするよう構成される返送モジュールと；前記アプリによって送信され且つ前記Ｗｅｂページサービス要求に対応するサービス実行要求を受信するように構成される第２の受信モジュールと；前記サービス実行要求に基づいてサービスを実行するように構成される実行モジュールと；を含む。
【００１３】
本願の実施は、サービス実行デバイスを提供するものであり、このデバイスは：Ｗｅｂページサービス要求をサーバへ送信するように構成される送信モジュールと；前記Ｗｅｂページサービス要求に基づいて前記サーバによって返送されるＷｅｂページを受信するように構成される受信モジュールと；前記Ｗｅｂページを実行することによって、指定されたアプリをウェイクアップさせ、それにより、前記アプリが前記Ｗｅｂページサービス要求に対応するサービス実行要求を前記サーバへ送信し、前記サーバが前記サービス実行要求に基づいてサービスを実行するように構成されるウェイクアップ及び実行モジュールと；を含む。
【００１４】
本願の実施はサービス実行方法及びデバイスを提供する。この方法において、サーバは端末デバイスによって送信されたＷｅｂページサービス要求に基づいて、対応するＷｅｂページを返送し、それにより、端末デバイスはそのＷｅｂページを用いて、指定されたアプリをウェイクアップし、アプリはＷｅｂページサービス要求に対応するサービス実行要求を送信する。最終的に、サーバはサービス実行要求に基づいてサービスを実行する。この方法によれば、Ｗｅｂページサービス要求を送信するブラウザが、指定されたアプリのＳＤＫを組み込んでいなくとも、受信したＷｅｂページを実行することによって、指定されたアプリをウェイクアップすることができ、アプリ及びサーバを用いることによってサービスを実行できる。よって、ユーザ操作の利便性は効果的に向上し、サービス実行中のブラウザアプリに対する要件は緩和され、サービス実行効率を向上させることができる。
【図面の簡単な説明】
【００１５】
本明細書で説明する添付図面の目的は、本願の理解を深め、本願の一部を構成することである。本願の例示となる実施及びそれらの説明の目的は、本願を説明することであり、本願に関する限定を構成するものではない。
【００１６】
【図１】図１は、本願の実施に係るサービス実行工程を示す図である。
【００１７】
【図２】図２は、本願の実施に係る、サーバによって端末デバイスへ返送される支払経路選択ページを示す概略図である。
【００１８】
【図３】図３は、本願の実施に係る、図１に対応するサービス実行工程を示す図である。
【００１９】
【図４】図４は、本願の実施に係るサービス実行の詳細を示すフローチャートである。
【００２０】
【図５】図５は、本願の実施に係るサービス実行デバイスを示す概略構造図である。
【００２１】
【図６】図６は、本願の実施に係る、図５に対応するサービス実行デバイスを示す概略構造図である。
【発明を実施するための形態】
【００２２】
本願の実施において、サーバは、端末デバイスによって送信されたＷｅｂページサービス要求（すなわち、ブラウザを用いることによって開始されるＷｅｂページサービス要求、又は、ブラウザカーネルを有するアプリケーション（アプリ）によって開始されるＷｅｂページサービス要求）を受信し、Ｗｅｂページを端末デバイスへ返送する。次いで、端末デバイス上の指定されたアプリがウェイクアップされ、アプリはＷｅｂページサービス要求に対応するサービス実行要求を送信する（すなわち、指定されたアプリによって送信されたサービス実行要求がＷｅｂページサービス要求に取って代わる）。最終的に、サービスがサービス実行要求に基づいてサービスを実行する。本願で説明する方法において、Ｗｅｂページを用いてサービスが実行される場合、指定されたアプリを単純に且つ効果的にウェイクアップすることができ、アプリ及びサーバは共にサービス実行を完了できることが分かる。このため、ユーザ操作はより便利になり、サービス実行効率はより高まる。
【００２３】
本願の目的、技術的解決策、及び利点を明確にするため、本願の実施及び対応する添付図面を参照して、本願の技術的解決策を明確に且つ完全に以下説明する。明らかに、説明する実施は本願の実施の全てではなく、その幾つかに過ぎない。創造的な努力なく、本願の実施に基づいて当業者によって得られる他の全ての実施は、本願の保護範囲に含まれるものとする。
【００２４】
図１は、本願の実施に係るサービス実行工程を示す図である。このサービス実行工程は、以下のステップを含む。
【００２５】
Ｓ１０１：サーバが、端末デバイスによって送信されたＷｅｂページサービス要求を受信する。
【００２６】
本願の実施において、サーバによって受信される全てのサービス要求が、Ｗｅｂページサービスからくるわけではない。そして、本願の目標は、端末デバイス上のＷｅｂページサービス実行効率が低いという問題を解決することである。したがって、サービス要求を受信する場合、サーバは最初に、サービス要求がＷｅｂページサービス要求であることを特定してから、引き続き、後続ステップを実行できる。本願におけるＷｅｂページサービス要求はブラウザ又はブラウザカーネルを有するアプリによって、Ｗｅｂページの形態でサーバへ送信される。Ｗｅｂページサービス要求は、対応するサービスを実行するために用いられるＷｅｂページをサーバから呼び出すために用いられる。
【００２７】
加えて、Ｗｅｂページサービス要求は、通常は、サードパーティのプラットフォームを用いることにより端末デバイスによって開始されるサービス要求である。すなわち、ユーザが端末デバイスからサードパーティプラットフォームのアカウントにログインし、そのアカウントを用いてサーバに対するＷｅｂページサービス要求を開始する場合、端末デバイスは、サードパーティプラットフォームを用いてＷｅｂページサービス要求をサーバへ送信する。したがって、サーバは、サードパーティプラットフォームを用いて端末デバイスにより送信されたＷｅｂページサービス要求を受信できる。
【００２８】
本願におけるＷｅｂページサービス要求がＷｅｂページ注文支払要求であってもよいことは特に留意すべきである。Ｗｅｂページサービス要求がＷｅｂページ注文支払要求である例を使って、以下説明する。加えて、本願における端末デバイスは携帯電話又はタブレット等のモバイルデバイスであってもよい。サーバはスタンドアローンデバイスであっても複数のデバイスを含むシステムであってもよい。
【００２９】
例えば、Ｗａｎｇ氏は、携帯電話上のブラウザにおいて電子商取引プラットフォームＡ（すなわち、サードパーティプラットフォーム）のアカウントｉにログインし、ブラウザにおいてアカウントｉを用い、電子商取引プラットフォームＡ上で注文取引を開始する。電子商取引プラットフォームＡ上の取引サービスは支払サーバａによって完了される必要があると仮定する。Ｗａｎｇ氏がアカウントｉを用いて注文取引を開始する場合、支払サーバは、電子商取引プラットフォームＡとのインターフェースを介して、Ｗａｎｇ氏の携帯電話上のブラウザによって送信されたＷｅｂページ注文支払ページを呼び出すための要求（すなわち、Ｗｅｂページサービス要求）を受信できる。
【００３０】
Ｓ１０２：Ｗｅｂページサービス要求に基づいて端末デバイスへＷｅｂページを返送し、それにより、端末デバイスがＷｅｂページを用いて、指定されたアプリをウェイクアップする。
【００３１】
本願の実施において、Ｗｅｂページサービス要求を受信した後、サーバはＷｅｂページサービス要求を解析してサービスパラメータを特定でき、サービスパラメータはサービス識別子（ＩＤ）を含んでいる。次いで、サーバはサービスＩＤを含むＷｅｂページを端末デバイスへ返送する。サービスパラメータは、サービスＩＤに加えて、サービス種類、サービス属性等を含むことができる。サービスＩＤに加えて、Ｗｅｂページは、更に、サービスの種類等の別のサービスパラメータをも伝達することができる。
【００３２】
本願におけるＷｅｂページは、ハイパーテキストマークアップ言語５（ＨＴＭＬ５）又は別の種類のＷｅｂページコードの使用に従うものとすることができる。
【００３３】
更に、サードパーティプラットフォームを用いてＷｅｂページサービス要求を受信する場合、サーバはサードパーティプラットフォームを用いてサービスＩＤを含むＷｅｂページを端末デバイスへ返送できる。
【００３４】
Ｗｅｂページサービス要求がＷｅｂページ注文支払要求である例を使って更に以下説明する。サーバは、最初にＷｅｂページ注文支払要求を解析して、注文ＩＤ、注文種類、取引額、支払チャンネル、取引相手に関する情報、サービス種類、端末デバイスのオペレーティングシステム、端末デバイスのＭＡＣアドレス、端末デバイスのネットワーク種類等の、注文支払サービスの実行に必要な注文支払パラメータを特定できる。本願において、注文支払サービスは、Ｗｅｂページではなく、指定されたアプリによって実行される。したがって、端末デバイスは端末デバイスへ返送されるべきＷｅｂページ内に注文ＩＤ（すなわち、サービスＩＤ）のみを含み、このＷｅｂページを端末デバイスへ返送できる。サーバはＷｅｂページ注文支払要求を受信するので、端末デバイスへ返送されるＷｅｂページは支払経路選択ページであってもよい。
【００３５】
加えて、Ｗｅｂページ内のサービスＩＤの他に、サーバは、端末デバイス上の指定されたアプリが注文支払サービスを実行できるよう、指定されたアプリをウェイクアップさせるために用いられるコードをＷｅｂページ内に更に含むことができる。このため、端末デバイスは、このＷｅｂページを実行する際にコードをロードすることにより、指定されたアプリをウェイクアップさせてサービスを実行する。本願におけるコードはＪａｖａＳｃｒｉｐｔ（登録商標）コードを含むがこれに限定されない。特に、Ｗｅｂページに含まれるコードはウェイクアップさせる必要があるアプリのＩＤを含むことができ、このＩＤを用いて、指定されたアプリをウェイクアップさせる。
【００３６】
先に述べた例において、支払サーバａが、Ｗｅｂページ注文支払ページを呼び出すための要求に基づいて、表１に示すような注文支払サービスを実行するために必要な注文支払パラメータを特定すると仮定する。
【表１】
2019513260.tif 000003
【００３７】
この場合、支払サーバａは、第１に、表１に示す注文ＩＤ及び支払経路選択ページにおいて支払アプリをウェイクアップさせるために用いられるＪａｖａＳｃｒｉｐｔ（登録商標）コードを含む。返送される支払経路選択ページを図２に示す。
【００３８】
図２は、本願の実施に係るサーバによって、端末デバイスへ返送される支払経路選択ページを示す概略図である。支払経路選択ページは支払完了及びＷｅｂページ支払の２つの操作オプションを含む。支払を完了した後、ユーザは「支払完了」の操作オプションをタップして支払結果を得ることができる。支払アプリを使用したくない又はそれを使用できないユーザは、「Ｗｅｂページ支払」の操作オプションをタップしてブラウザに留まり、支払サーバａによってブラウザへ送信される支払Ｗｅｂページを使って支払を完了できる。
【００３９】
更に、支払アプリ（すなわち、指定されたアプリ）が携帯電話にインストールされた場合、支払経路選択ページを実行し、支払経路選択ページに含まれるＪａｖａＳｃｒｉｐｔ（登録商標）コードをロードした後、ブラウザは、更に、ウェイクアップ命令を支払アプリへ送信して支払アプリをウェイクアップさせることができる。
【００４０】
Ｓ１０３：アプリによって送信され且つＷｅｂページサービス要求に対応するサービス実行要求を受信する。
【００４１】
本願の実施において、指定されたアプリがウェイクアップされた後、サービスＩＤを含むサービス実行要求を、Ｗｅｂページに含まれるサービスＩＤに基づいて送信できる。サービスＩＤを含むサービス実行要求は、Ｗｅｂページサービス要求に対応するサービス実行要求である。本願で述べるサービス実行要求は、サーバによって提供され、端末デバイス上にインストールされた非ブラウザアプリにより送信される。指定されたアプリは、クライアントソフトウェアプログラムであってもよい。
【００４２】
本願では、アカウントログインを実行する必要があるアプリには、通常は、デフォルトのログインアカウント（すなわち、起動時にアプリが自動的にログインするアカウント）があるので、指定されたアプリは、ウェイクアップされた後にデフォルトアカウントにログインすることができる。続いて、サービスは、アカウントを用いることによって実行され得る。
【００４３】
先に述べた例において、支払アプリのデフォルトログインアカウントがアカウントｉｉであった場合、支払サーバａは、アカウントｉｉに基づいて支払アプリによって送信される注文支払サービスを実行するための要求を受信できる。
【００４４】
Ｓ１０４：サービス実行要求に基づいてサービスを実行する。
【００４５】
前に述べた例において、支払サーバａはアカウントｉｉに基づいて支払アプリによって送信された注文支払サービスを実行するための要求を受信し、注文支払サービスを実行するための要求は、注文ＩＤも含む。したがって、表１に示す完全な注文支払パラメータを、注文ＩＤに基づいて特定できる。支払サービスは完全な注文支払パラメータに基づいてアカウントｉｉを用いて実行できる。
【００４６】
この方法によれば、端末デバイスによって送信されたＷｅｂページサービス要求を受信した後、サーバはＷｅｂページを端末デバイスへ返送して、指定されたアプリをウェイクアップさせ、指定されたアプリがＷｅｂページサービス要求に対応するサービス実行要求を送信可能にする。最終的に、サーバはサービス実行要求に基づいてサービスを実行する。既存の方法に比べ、本願で提供される方法において、アプリはデフォルトアカウントに自動的にログインできるので、ユーザは、Ｗｅｂページサービス要求を実行する場合にアカウントにログインする必要はない。このため、ユーザ操作はより便利である。加えて、ブラウザに表示されるＷｅｂページ上で実行される操作に比べて、より多くの種類の操作を、指定されたアプリ内で実行できる（例えば、ブラウザのＷｅｂページ上でサポートされていない指紋認識を支払アプリによって実施ができる）。したがって、本願で述べるサービス実行方法はより柔軟であり、より安全である。したがって、本願で提供される方法によれば、ユーザ操作はより便利であり、サービス実行はより安全である。そして、サービス実行効率は、ブラウザのＷｅｂページを用いて開始されるＷｅｂページサービス実行要求のために高くなる。
【００４７】
更に、実際のアプリケーションにおいて、サーバがステップＳ１０４におけるサービスを実行する場合、サービスＩＤだけに基づいてサービスを実行することは不可能であり、サーバは完全なサービスパラメータに基づいてサービスを実行する必要がある。したがって、サービスを実行する前に、ステップＳ１０１で端末デバイスによって送信されたＷｅｂページサービス要求を受信した後に解析することにより、サーバは（サービスＩＤを含む）完全なサービスパラメータを取得し、Ｗｅｂページサービス要求を受信するための基準としての役割を果たすセッションに完全なサービスパラメータを保存できる。説明を簡単にするために、サーバによってＷｅｂページサービス要求を受信するための基準としての役割を果たすセッションは、下記サービスＩＤに対応するセッションと見なされる。Ｗｅｂページサービス要求に基づいて解析により完全なサービスパラメータを取得した後、サーバは、サーバによってＷｅｂページサービス要求を受信するための基準としての役割を果たすセッションをサービスＩＤに対応するセッションとして用い、特定されたサービスパラメータを、サービスＩＤに対応するセッションに保存できる。
【００４８】
その後、サーバによって端末デバイスに返送されたＷｅｂページは、完全なサービスパラメータではなくサービスＩＤだけを含むので、端末デバイスがＷｅｂページを実行し、対応するアプリをウェイクアップする場合に、Ｗｅｂページに含まれるサービスＩＤをアプリへ送ることができる。アプリは、サービスＩＤを含むサービス実行要求をサーバへ送信する。サービス実行要求を受信した後、サーバは、サービス実行要求に含まれるサービスＩＤに基づいて、サービスＩＤに対応するセッションを特定し、特定したセッションから完全なサービスパラメータを抽出し、抽出したサービスパラメータに基づいてサービスを実行できる。
【００４９】
抽出した完全なサービスパラメータに基づいてサービスを実行する場合、サーバは最初に、完全なサービスパラメータをアプリに返送できる。アプリは確認のため、完全なサービスパラメータをユーザに表示できる。ユーザが完全なサービスパラメータを確認した後、アプリは確認情報をサーバへ送信できる。次いで、サーバはサービスパラメータに基づいてサービスを実行する。
【００５０】
加えて、アプリが確認情報をサーバへ送信してサーバによるサービスの実行が可能になった後、端末デバイスは、グラフィカルユーザインターフェースをブラウザへ返送できる。この場合、ブラウザに表示されるＷｅｂページはステップＳ１０２においてサーバによって端末デバイスに返送されたＷｅｂページである。Ｗｅｂページが図２に示すＷｅｂページである場合、ユーザは図２に示す「支払完了」の操作オプションをタップすることができ、その結果、ブラウザはサービス結果を問い合わせるための問い合わせ情報をサーバへ送信し、サーバによって返送されたサービス実行結果ページを表示する。このため、ユーザは、ステップＳ１０１におけるブラウザを用いることによって開始されたＷｅｂページサービス実行要求のサービス実行結果を特定できる。
【００５１】
更に、本願において、ユーザによる「支払完了」の操作オプションをクリックすることによってサービス結果を得るための方法に加えて、ブラウザはステップＳ１０２において受信されたＷｅｂページを実行し、Ｗｅｂページサービス要求に対するサービス結果問い合わせ情報をサーバへ送信できる。ステップＳ１０４におけるサービス実行要求に基づいてサービスを実行した後、サーバはサービス結果問い合わせ情報に対する問い合わせ結果を返送でき、その結果、ブラウザはサービス結果問い合わせ情報を能動的に得ることができる。端末デバイスは、固定の間隔又は所定の時点で、サービス結果問い合わせ情報をサーバへ送信できる。サービス結果問い合わせ情報をサーバへ送信するための方法については、本願は限定されない。
【００５２】
図１に示すサービス実行工程に基づいて、本願の実施は、更に、図３に示すような別のサービス実行工程を提供する。
【００５３】
図３は、本願の実施に係るサービス実行工程を示す図である。このサービス実行工程は、以下のステップを含む。
【００５４】
Ｓ３０１：Ｗｅｂページサービス要求をサーバへ送信する。
【００５５】
本願の実施において、端末デバイス上のブラウザ又はブラウザカーネルを有するアプリは、Ｗｅｂページ要求をサーバへ送信する。一例としてのブラウザを用いて以下説明する。Ｗｅｂページサービス要求は、携帯端末上のブラウザによってサーバへＷｅｂページの形態で送信される。このＷｅｂページサービス要求を用いて、対応するサービスを実行するために用いられるＷｅｂページをサーバから呼び出す。
【００５６】
加えて、Ｗｅｂページサービス要求は、通常、サードパーティのプラットフォームを用いてブラウザにより開始されるサービス要求である。ユーザがブラウザからサードパーティプラットフォームのアカウントにログインし、そのアカウントを用いてサーバに対するＷｅｂページサービス要求を開始する場合、サーバは、サードパーティプラットフォームを用いてブラウザによって送信されたＷｅｂページサービス要求を受信する。したがって、ブラウザはサードパーティプラットフォームを用いてＷｅｂページサービス要求をサーバへ送信できる。
【００５７】
Ｓ３０２：Ｗｅｂページサービス要求に基づいてサーバにより返送されるＷｅｂページを受信する。
【００５８】
本願の実施において、Ｗｅｂページサービス要求を受信した後、サーバはＷｅｂページサービス要求を解析してサービスパラメータを特定でき、サービスパラメータはサービスＩＤを含んでいる。次いで、サーバは、サービスＩＤを含むＷｅｂページを、ステップＳ３０１においてＷｅｂページサービス要求を送信するブラウザへ返送する。サービスパラメータはサービスＩＤに加えて、サービス種類、サービス属性等を含むことができる。
【００５９】
加えて、ブラウザがサードパーティプラットフォームを用いてＷｅｂページサービス要求をサーバへ送信するので、ブラウザは、サードパーティプラットフォームを用いてサーバによって返送される、サービスＩＤを含むＷｅｂページを受信することもできる。
【００６０】
Ｓ３０３：Ｗｅｂページを実行することによって、指定されたアプリをウェイクアップさせ、それにより、アプリがＷｅｂページサービス要求に対応するサービス実行要求をサーバへ送信し、サーバはサービス実行要求に基づいてサービスを実行する。
【００６１】
本願の実施において、サーバによって返送されたＷｅｂページを受信した後、ブラウザはＷｅｂページを実行してＷｅｂページに含まれるＪａｖａＳｃｒｉｐｔ（登録商標）コードをロードし、指定されたアプリをウェイクアップさせてサービスを実行し、Ｗｅｂページに含まれるサービスＩＤを、指定されたアプリへ送ることにより、指定されたアプリは、サービスＩＤに基づいてサービス実行要求をサーバへ送信する。
【００６２】
図４は、本願の実施に係るサービス実行詳細を示すフローチャートである。このフローチャートは以下のステップを含む。
【００６３】
Ｓ４０１：ブラウザが、Ｗｅｂページサービス要求をサーバへ送信する。
【００６４】
Ｓ４０２：サーバが、Ｗｅｂページサービス要求に基づいてサービスパラメータを特定し、サービスパラメータをサービスＩＤに対応するセッションに保存する。
【００６５】
Ｓ４０３：サーバが、サービスＩＤを含むＷｅｂページをブラウザへ返送する。
【００６６】
Ｓ４０４：ブラウザが、Ｗｅｂページを用いて、指定されたアプリをウェイクアップさせ、サービスＩＤをこのアプリへ送る。
【００６７】
Ｓ４０５：アプリが、サービスＩＤに基づいてサービスＩＤを含むサービス実行要求をサーバへ送信する。
【００６８】
Ｓ４０６：サーバが、サービス実行要求内のサービスＩＤに基づいて、対応するセッションを特定し、サービスパラメータを抽出する。
【００６９】
Ｓ４０７：サーバが、完全なサービスパラメータをアプリへ返送する。
【００７０】
Ｓ４０８：アプリが、完全なサービスパラメータを確認のためにユーザに表示し、ユーザ確認結果をサーバへ送信する。
【００７１】
Ｓ４０９：サーバが、ユーザ確認結果を受信した後に完全なサービスパラメータに基づいてサービスを実行する。
【００７２】
Ｓ４１０：サーバが、サービスを実行した後、サービス実行結果をブラウザへ送信する。
【００７３】
図１に示す方法と同じ考え方に基づいて、本願の実施は、更に、図５に示すようなサービス実行デバイスを提供する。
【００７４】
図５は、本願の実施に係るサービス実行デバイスを示す概略構造図である。サービス実行デバイスは：端末デバイスによって送信されたＷｅｂページサービス要求を受信するように構成される第１の受信モジュール５０１と；Ｗｅｂページサービス要求に基づいてＷｅｂページを端末デバイスへ返送し、それにより、端末デバイスがＷｅｂページを用いて、指定されたアプリをウェイクアップするように構成される返送モジュール５０２と；アプリによって送信され、且つ、Ｗｅｂページサービス要求に対応する、サービス実行要求を受信するように構成される第２の受信モジュール５０３と；サービス実行要求に基づいてサービスを実行するように構成される実行モジュール５０４と；を含む。
【００７５】
返送モジュール５０２は、Ｗｅｂページサービス要求に基づいてサービスパラメータを特定し、サービスパラメータはサービスＩＤを含むように、そして、サービスＩＤを含むＷｅｂページを端末デバイスへ返送するように構成される。
【００７６】
第２の受信モジュール５０３は、サービスＩＤに基づいてアプリによって送信されるように、そして、Ｗｅｂページサービス要求に対応するサービス実行要求を受信するように構成される。
【００７７】
実行モジュール５０４は、更に、サービス要求に基づいてサービスを実行する前に、Ｗｅｂページサービス要求を受信するための基準としての役割を果たすセッションを、サービスＩＤに対応するセッションとして用いるように、そして、特定されたサービスパラメータを、サービスＩＤに対応するセッションに保存するように構成される。
【００７８】
実行モジュール５０４は、サービス実行要求に含まれるサービスＩＤに基づいて、サービスＩＤに対応するセッションを特定し、特定したセッションからサービスパラメータを抽出し、抽出したサービスパラメータに基づいてサービスを実行するように構成される。
【００７９】
第１の受信モジュール５０１は、サードパーティプラットフォームを用いて端末デバイスにより送信されるＷｅｂページサービス要求を受信するように構成される。
【００８０】
返送モジュール５０２は、Ｗｅｂページサービス要求に基づいてサードパーティプラットフォームを用いてＷｅｂページを端末デバイスへ返送するように構成される。
【００８１】
本デバイス（装置）は、更に、Ｗｅｂページサービス要求に対して端末デバイスによって送信されたサービス結果問い合わせ情報を受信し、実行モジュール５０４がサービス実行要求に基づいてサービスを実行した後、サービス結果問い合わせ情報に対する問い合わせ結果を返送するように構成される結果提供モジュール５０５を含む。
【００８２】
図５に示すサービス実行デバイスは、スタンドアローン型サーバ内又は複数のサーバを含むシステム内に配置できる。
【００８３】
図３に示す方法と同じ考え方に基づいて、本願の実施は、更に、図６に示すようなサービス実行デバイスを提供する。
【００８４】
図６は、本願の実施に係る、サービス実行デバイスを示す概略構造図である。サービス実行デバイスは：Ｗｅｂページサービス要求をサーバへ送信するように構成される送信モジュール６０１と；Ｗｅｂページサービス要求に基づいてサーバによって返送されるＷｅｂページを受信するように構成される受信モジュール６０２と；Ｗｅｂページを実行することによって、指定されたアプリをウェイクアップさせ、それにより、アプリがＷｅｂページサービス要求に対応するサービス実行要求をサーバへ送信し、サーバがサービス実行要求に基づいてサービスを実行するように構成されるウェイクアップ及び実行モジュール６０３と；を含む。
【００８５】
受信モジュール６０２は、サービスＩＤを含み且つＷｅｂページサービス要求に基づいてサーバによって返送されるＷｅｂページを受信するように構成される。
【００８６】
ウェイクアップ及び実行モジュール６０３は、Ｗｅｂページを実行して、指定されたアプリをウェイクアップさせ、サービスＩＤをアプリへ送り、それにより、アプリがサービスＩＤに基づいてサービス実行要求をサーバへ送信するように構成される。
【００８７】
送信モジュール６０１は、サードパーティプラットフォームを用いてＷｅｂページサービス要求をサーバへ送信するように構成される。
【００８８】
受信モジュール６０２は、サードパーティプラットフォームを用いて、Ｗｅｂページサービス要求に基づいてサーバによって返送されるＷｅｂページを受信するように構成される。
【００８９】
本デバイスは、更に、Ｗｅｂページを実行してＷｅｂページサービス要求に対するサービス結果問い合わせ情報をサーバへ送信し、サービス結果問い合わせ情報に対してサーバによって返送された問い合わせ結果を受信するように構成される問い合わせモジュール６０４を含み、ここで問い合わせ結果は、サーバがサービス実行要求に基づいてサービスを実行した後、サービス結果問い合わせ情報に対して返送される。
【００９０】
図６に示すサービス実行デバイスは、携帯電話、パーソナルコンピュータ（ＰＣ）、及びタブレット等の様々な端末デバイス内に配置できる。
【００９１】
典型的な構成では、計算デバイスは１つ以上のプロセッサ（ＣＰＵｓ）、入出力インターフェース、ネットワークインターフェース、及びメモリを含む。
【００９２】
メモリは揮発性メモリ、ランダムアクセスメモリ（ＲＡＭ）、及び／又は、読み取り専用メモリ（ＲＯＭ）やフラッシュメモリ（フラッシュＲＡＭ）のようなコンピュータ読取可能な不揮発性メモリとすることができる。メモリはコンピュータ読取可能な媒体の一例である。
【００９３】
コンピュータで読取可能な媒体には、任意の方法又は技術を用いて情報を記憶できる、永続的、非永続的、移動可能な、移動不能な媒体が含まれる。この情報はコンピュータ読取可能な命令、データ構造、プログラムモジュール、又はその他のデータであってよい。コンピュータの記憶媒体の例として、計算デバイスによってアクセスできる情報を記憶するために用いることが可能な、相変化ランダムアクセスメモリ（ＰＲＡＭ）、スタティックランダムアクセスメモリ（ＳＲＡＭ）、ダイナミックランダムアクセスメモリ（ＤＲＡＭ）、別タイプのランダムアクセスメモリ、リードオンリーメモリ（ＲＯＭ）、電気的に消去可能でプログラム可能なＲＯＭ（ＥＥＰＲＯＭ）、フラッシュメモリ、又は別のメモリ技術、コンパクトディスクＲＯＭ（ＣＤ−ＲＯＭ）、デジタル多用途ディスク（ＤＶＤ）、又は別の光学記憶装置、磁気カセットテープ、テープ及びディスク記憶装置、又は別の磁気記憶デバイス、若しくはその他任意の非一時的媒体があるが、それらに限定されない。本願で定義しているように、コンピュータ読取可能な媒体は、変調されたデータ信号及び搬送波のような一時的な媒体を含まない。
【００９４】
さらに、用語「含む」、「含有する」、又はこれらのその他任意の応用形は、非限定的な包含を網羅するものであるため、一連の要素を含んだ工程、方法、物品、デバイスはこれらの要素を含むだけでなく、ここで明確に挙げていないその他の要素をも含む、あるいは、このような工程、方法、物品、デバイスに固有の要素をさらに含むことができる点に留意することが重要である。「１つの〜を含む」との用語を付けて示された要素は、それ以上の制約がなければ、その要素を含んだ工程、方法、物品、デバイス内に別の同一の要素をさらに含むことを排除しない。
【００９５】
当業者は、本願の実施が方法、システム、コンピュータプログラム製品として提供され得ることを理解するはずである。そのため、本願は、ハードウェアのみの実施、ソフトウェアのみの実施、又は、ソフトウェアとハードウェアの組み合わせによる実施を用いることができる。さらに、本願は、コンピュータで用いることができるプログラムコードを含んだ、１つ以上のコンピュータで使用可能な記憶媒体（磁気ディスクストレージ、ＣＤ−ＲＯＭ、光学ディスク等を非限定的に含む）上で実施されるコンピュータプログラム製品の形態を用いることが可能である。
【００９６】
上述のものは本願の一実施形態であるが、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
【符号の説明】
【００９７】
５０１  第１の受信モジュール
５０２  返送モジュール
５０３  第２の受信モジュール
５０４  実行モジュール
５０５  結果提供モジュール
６０１  送信モジュール
６０２  受信モジュール
６０３  ウェイクアップ及び実行モジュール
６０４  問い合わせモジュール
【図１】
2019513260.tif 000004
【図２】
2019513260.tif 000005
【図３】
2019513260.tif 000006
【図４】
2019513260.tif 000007
【図５】
2019513260.tif 000008
【図６】
2019513260.tif 000009
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
端末デバイスにより送信されるＷｅｂページサービス要求を、サーバによって受信するステップ（Ｓ１０１）と；
前記Ｗｅｂページサービス要求に基づいてＷｅｂページを前記端末デバイスへ返送するステップであって、前記端末デバイスは、前記Ｗｅｂページを用いて指定されたアプリケーションをウェイクアップさせる、ステップ（Ｓ１０２）と；
前記アプリケーションによって送信され且つ前記Ｗｅｂページサービス要求に対応するサービス実行要求を受信するステップ（Ｓ１０３）と；
前記サービス実行要求に基づいてサービスを実行するステップ（Ｓ１０４）と；を備える、
サービス実行方法。
【請求項２】
前記Ｗｅｂページサービス要求に基づいてＷｅｂページを前記端末デバイスへ返送するステップは：
前記Ｗｅｂページサービス要求に基づいてサービスパラメータを特定するステップであって、前記サービスパラメータはサービス識別子を含む、ステップ（Ｓ４０２）と；
前記サービス識別子を含むＷｅｂページを前記端末デバイスへ返送するステップ（Ｓ４０３）と；を備え、
前記アプリケーションによって送信され且つ前記Ｗｅｂページサービス要求に対応するサービス実行要求を受信するステップは：
前記サービス識別子に基づいて前記アプリケーションによって送信され且つ前記Ｗｅｂページサービス要求に対応するサービス実行要求を受信するステップを備える、
請求項１に記載のサービス実行方法。
【請求項３】
前記サービス実行要求に基づいてサービスを実行するステップの前に：
前記Ｗｅｂページサービス要求を受信するための基準としての役割を果たすセッションを、前記サービス識別子に対応するセッションとして用いるステップと；
前記特定されたサービスパラメータを、前記サービス識別子に対応する前記セッションに保存するステップと；を備え、
前記サービス実行要求に基づいてサービスを実行するステップは：
前記サービス実行要求に含まれる前記サービス識別子に基づいて、前記サービス識別子に対応する前記セッションを特定するステップと；
前記特定されたセッションから前記サービスパラメータを抽出するステップ（Ｓ４０６）と；
前記抽出されたサービスパラメータに基づいて前記サービスを実行するステップと；を備える、
請求項２に記載のサービス実行方法。
【請求項４】
端末デバイスにより送信されるＷｅｂページサービス要求を前記サーバによって受信するステップは：
サードパーティプラットフォームを用いて、前記端末デバイスによって送信されたＷｅｂページサービス要求を、サーバによって受信するステップを備え、
前記Ｗｅｂページサービス要求に基づいてＷｅｂページを前記端末デバイスへ返送するステップは：
前記Ｗｅｂページサービス要求に基づき、前記サードパーティプラットフォームを用いて、Ｗｅｂページを前記端末デバイスへ返送するステップを備える、
請求項１に記載のサービス実行方法。
【請求項５】
前記Ｗｅｂページサービス要求に対して前記端末デバイスによって送信されたサービス結果問い合わせ情報を、前記サーバによって受信するステップと；
前記サーバが前記サービス実行要求に基づいて前記サービスを実行した（Ｓ４０９）後、前記サービス結果問い合わせ情報に対する問い合わせ結果を返送するステップ（Ｓ４１０）と；を更に備える、
請求項１に記載のサービス実行方法。
【請求項６】
Ｗｅｂページサービス要求をサーバへ送信するステップ（Ｓ３０１、Ｓ４０１）と；
前記Ｗｅｂページサービス要求に基づいて前記サーバによって返送されたＷｅｂページを受信するステップ（Ｓ３０２）と；
前記Ｗｅｂページを実行することによって、指定されたアプリケーションをウェイクアップさせるステップであって、前記アプリケーションは、前記Ｗｅｂページサービス要求に対応するサービス実行要求を前記サーバへ送信し、前記サーバは、前記サービス実行要求に基づいてサービスを実行する、ステップ（Ｓ３０３）と；を備える、
サービス実行方法。
【請求項７】
前記Ｗｅｂページサービス要求に基づいて前記サーバによって返送されるＷｅｂページを受信するステップは：
サービス識別子を含み且つ前記Ｗｅｂページサービス要求に基づいて前記サーバによって返送されるＷｅｂページを受信するステップを備え、
前記Ｗｅｂページを実行することによって、指定されたアプリケーションをウェイクアップさせるステップであって、前記アプリケーションは、前記Ｗｅｂページサービス要求に対応するサービス実行要求を前記サーバへ送信し、前記サーバは、前記サービス実行要求に基づいてサービスを実行する、ステップは：
前記Ｗｅｂページを実行して前記指定されたアプリケーションをウェイクアップさせ、前記サービス識別子を前記アプリケーションへ送るステップであって、前記アプリケーションは前記サービス識別子に基づいて前記サーバへサービス実行要求を送信する（Ｓ４０５）、ステップ（Ｓ４０４）を備える、
請求項６に記載のサービス実行方法。
【請求項８】
Ｗｅｂページサービス要求をサーバへ送信するステップは：
サードパーティプラットフォームを用いて、Ｗｅｂページサービス要求を前記サーバへ送信するステップを備え、
前記Ｗｅｂページサービス要求に基づいて前記サーバによって返送されたＷｅｂページを受信するステップは：
前記サードパーティプラットフォームを用いて、前記Ｗｅｂページサービス要求に基づいて、前記サーバによって返送された前記Ｗｅｂページを受信するステップを備える、
請求項６に記載のサービス実行方法。
【請求項９】
前記Ｗｅｂページを実行して前記Ｗｅｂページサービス要求に対するサービス結果問い合わせ情報を前記サーバへ送信するステップと；
前記サービス結果問い合わせ情報に対して前記サーバによって返送された問い合わせ結果を受信するステップであって、前記問い合わせ結果は、前記サーバが前記サービス実行要求に基づいて前記サービスを実行した後、前記サービス結果問い合わせ情報に対して返送される、前記サービス結果問い合わせ情報に対して前記サーバによって返送された問い合わせ結果を受信するステップと；を更に備える、
請求項６に記載のサービス実行方法。
【請求項１０】
請求項１乃至請求項５のいずれか１項に記載の方法の動作を実行するように構成された複数のモジュールを備える、
サービス実行デバイス。
【請求項１１】
請求項６乃至請求項９のいずれか１項に記載の方法の動作を実行するように構成された複数のモジュールを備える、
サービス実行デバイス。
【手続補正２】
【補正対象書類名】明細書
【補正対象項目名】００９６
【補正方法】変更
【補正の内容】
【００９６】
上述のものは本願の一実施形態であるが、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
端末デバイスにより送信されるＷｅｂページサービス要求を、サーバによって受信するステップと；
前記Ｗｅｂページサービス要求に基づいてＷｅｂページを前記端末デバイスへ返送するステップであって、それにより、前記端末デバイスが前記Ｗｅｂページを用いて、指定されたアプリケーション（アプリ）をウェイクアップさせる、前記返送するステップと；
前記アプリによって送信され且つ前記Ｗｅｂページサービス要求に対応するサービス実行要求を受信するステップと；
前記サービス実行要求に基づいてサービスを実行するステップと；を備える、
サービス実行方法。
［第２の局面］
前記Ｗｅｂページサービス要求に基づいてＷｅｂページを前記端末デバイスへ返送する前記ステップは：
前記Ｗｅｂページサービス要求に基づいてサービスパラメータを特定するステップであって、前記サービスパラメータはサービス識別子（ＩＤ）を含む、前記特定するステップと；
前記サービスＩＤを含むＷｅｂページを前記端末デバイスへ返送するステップと；を備え、
前記アプリによって送信され且つ前記Ｗｅｂページサービス要求に対応するサービス実行要求を受信する前記ステップは：
前記サービスＩＤに基づいて前記アプリによって送信され且つ前記Ｗｅｂページサービス要求に対応するサービス実行要求を受信するステップを備える、
第１の局面に記載のサービス実行方法。
［第３の局面］
前記サービス実行要求に基づいてサービスを実行する前記ステップの前に：
前記Ｗｅｂページサービス要求を受信するための基準としての役割を果たすセッションを、前記サービスＩＤに対応するセッションとして用いるステップと；
前記特定されたサービスパラメータを、前記サービスＩＤに対応する前記セッションに保存するステップと；を備え、
前記サービス実行要求に基づいてサービスを実行する前記ステップは：
前記サービス実行要求に含まれる前記サービスＩＤに基づいて、前記サービスＩＤに対応する前記セッションを特定するステップと；
前記特定されたセッションから前記サービスパラメータを抽出するステップと；
前記抽出されたサービスパラメータに基づいて前記サービスを実行するステップと；を備える、
第２の局面に記載のサービス実行方法。
［第４の局面］
端末デバイスにより送信されるＷｅｂページサービス要求を前記サーバによって受信する前記ステップは：
サードパーティプラットフォームを用いて、前記端末デバイスによって送信されたＷｅｂページサービス要求を、サーバによって受信するステップを備え、
前記Ｗｅｂページサービス要求に基づいてＷｅｂページを前記端末デバイスへ返送する前記ステップは：
前記Ｗｅｂページサービス要求に基づき、前記サードパーティプラットフォームを用いて、Ｗｅｂページを前記端末デバイスへ返送するステップを備える、
第１の局面に記載のサービス実行方法。
［第５の局面］
前記Ｗｅｂページサービス要求に対して前記端末デバイスによって送信されたサービス結果問い合わせ情報を、前記サーバによって受信するステップと；
前記サーバが前記サービス実行要求に基づいて前記サービスを実行した後、前記サービス結果問い合わせ情報に対する問い合わせ結果を返送するステップと；を更に備える、
第１の局面に記載のサービス実行方法。
［第６の局面］
Ｗｅｂページサービス要求をサーバへ送信するステップと；
前記Ｗｅｂページサービス要求に基づいて前記サーバによって返送されたＷｅｂページを受信するステップと；
前記Ｗｅｂページを実行することによって、指定されたアプリをウェイクアップさせるステップであって、それにより、前記アプリが、前記Ｗｅｂページサービス要求に対応するサービス実行要求を前記サーバへ送信し、前記サーバが、前記サービス実行要求に基づいてサービスを実行する、前記ウェイクアップさせるステップと；を備える、
サービス実行方法。
［第７の局面］
前記Ｗｅｂページサービス要求に基づいて前記サーバによって返送されるＷｅｂページを受信する前記ステップは：
サービスＩＤを含み且つ前記Ｗｅｂページサービス要求に基づいて前記サーバによって返送されるＷｅｂページを受信するステップを備え、
前記Ｗｅｂページを実行することによって、指定されたアプリをウェイクアップさせる前記ステップであって、それにより、前記アプリが、前記Ｗｅｂページサービス要求に対応するサービス実行要求を前記サーバへ送信し、前記サーバが、前記サービス実行要求に基づいてサービスを実行する、前記ステップは：
前記Ｗｅｂページを実行して前記指定されたアプリをウェイクアップさせ、前記サービスＩＤを前記アプリへ送るステップであって、それにより、前記アプリが前記サービスＩＤに基づいて前記サーバへサービス実行要求を送信する、前記送るステップを備える、
第６の局面に記載のサービス実行方法。
［第８の局面］
Ｗｅｂページサービス要求をサーバへ送信する前記ステップは：
サードパーティプラットフォームを用いて、Ｗｅｂページサービス要求を前記サーバへ送信するステップを備え、
前記Ｗｅｂページサービス要求に基づいて前記サーバによって返送されたＷｅｂページを受信する前記ステップは：
前記サードパーティプラットフォームを用いて、前記Ｗｅｂページサービス要求に基づいて、前記サーバによって返送された前記Ｗｅｂページを受信するステップを備える、
第６の局面に記載のサービス実行方法。
［第９の局面］
前記Ｗｅｂページを実行して前記Ｗｅｂページサービス要求に対するサービス結果問い合わせ情報を前記サーバへ送信するステップと；
前記サービス結果問い合わせ情報に対して前記サーバによって返送された問い合わせ結果を受信するステップであって、前記問い合わせ結果は、前記サーバが前記サービス実行要求に基づいて前記サービスを実行した後、前記サービス結果問い合わせ情報に対して返送される、前記サービス結果問い合わせ情報に対して前記サーバによって返送された問い合わせ結果を受信するステップと；を更に備える、
第６の局面に記載のサービス実行方法。
［第１０の局面］
端末デバイスによって送信されたＷｅｂページサービス要求を受信するように構成される第１の受信モジュールと；
前記Ｗｅｂページサービス要求に基づいて前記端末デバイスへＷｅｂページを返送するものであって、それにより、前記端末デバイスが前記Ｗｅｂページを用いて、指定されたアプリをウェイクアップするよう構成される返送モジュールと；
前記アプリによって送信され且つ前記Ｗｅｂページサービス要求に対応するサービス実行要求を受信するように構成される第２の受信モジュールと；
前記サービス実行要求に基づいてサービスを実行するように構成される実行モジュールと；を備える、
サービス実行デバイス。
［第１１の局面］
前記返送モジュールは、前記Ｗｅｂページサービス要求に基づいてサービスパラメータを特定するように構成され、前記サービスパラメータはサービスＩＤを含み、そして、前記サービスＩＤを含むＷｅｂページを、前記端末デバイスへ返送するように構成され、
前記第２の受信モジュールは、前記サービスＩＤに基づいて前記アプリによって送信され且つ前記Ｗｅｂページサービス要求に対応するサービス実行要求を受信するように構成される、
第１０の局面に記載のサービス実行デバイス。
［第１２の局面］
前記実行モジュールは、更に、前記サービス要求に基づいて前記サービスを実行する前に、前記Ｗｅｂページサービス要求を受信するための基準としての役割を果たすセッションを、前記サービスＩＤに対応するセッションとして用いるように、そして、前記特定されたサービスパラメータを前記サービスＩＤに対応する前記セッションに保存するように構成され、
前記実行モジュールは、前記サービス実行要求に含まれる前記サービスＩＤに基づいて、前記サービスＩＤに対応する前記セッションを特定し、前記特定したセッションから前記サービスパラメータを抽出し、前記抽出したサービスパラメータに基づいて前記サービスを実行するように構成される、
第１１の局面に記載のサービス実行デバイス。
［第１３の局面］
前記第１の受信モジュールは、サードパーティプラットフォームを用いて前記端末デバイスにより送信されるＷｅｂページサービス要求を受信するように構成され、
前記返送モジュールは、前記Ｗｅｂページサービス要求に基づいて前記サードパーティプラットフォームを用いて、Ｗｅｂページを前記端末デバイスへ返送するように構成される、
第１０の局面に記載のサービス実行デバイス。
［第１４の局面］
前記Ｗｅｂページサービス要求に対して前記端末デバイスによって送信されたサービス結果問い合わせ情報を受信し、前記実行モジュールが前記サービス実行要求に基づいて前記サービスを実行した後、前記サービス結果問い合わせ情報に対する問い合わせ結果を返送するように構成される結果提供モジュールを更に備える、
第１０の局面に記載のサービス実行デバイス。
［第１５の局面］
Ｗｅｂページサービス要求をサーバへ送信するように構成される送信モジュールと；
前記Ｗｅｂページサービス要求に基づいて前記サーバによって返送されるＷｅｂページを受信するように構成される受信モジュールと；
前記Ｗｅｂページを実行することによって、指定されたアプリをウェイクアップさせ、それにより、前記アプリが前記Ｗｅｂページサービス要求に対応するサービス実行要求を前記サーバへ送信し、前記サーバが前記サービス実行要求に基づいてサービスを実行するように構成されるウェイクアップ及び実行モジュールと；を備える、
サービス実行デバイス。
［第１６の局面］
前記受信モジュールは、サービスＩＤを含み且つ前記Ｗｅｂページサービス要求に基づいて前記サーバによって返送されるＷｅｂページを受信するように構成され、
前記ウェイクアップ及び実行モジュールは、前記Ｗｅｂページを実行して前記指定されたアプリをウェイクアップさせ、前記サービスＩＤを前記アプリへ送り、それにより、前記アプリが前記サービスＩＤに基づいてサービス実行要求を前記サーバへ送信するように構成される、
第１５の局面に記載のサービス実行デバイス。
［第１７の局面］
前記送信モジュールは、サードパーティプラットフォームを用いてＷｅｂページサービス要求を前記サーバへ送信するように構成され、
前記受信モジュールは、前記サードパーティプラットフォームを用いて、前記Ｗｅｂページサービス要求に基づき、前記サーバによって返送される前記Ｗｅｂページを受信するように構成される、
第１５の局面に記載のサービス実行デバイス。
［第１８の局面］
前記Ｗｅｂページを実行して前記Ｗｅｂページサービス要求に対するサービス結果問い合わせ情報を前記サーバへ送信し、前記サービス結果問い合わせ情報に対して前記サーバによって返送された問い合わせ結果を受信するように構成される問い合わせモジュールを更に備え、前記問い合わせ結果は、前記サーバが前記サービス実行要求に基づいて前記サービスを実行した後、前記サービス結果問い合わせ情報に対して返送される、
第１５の局面に記載のサービス実行デバイス。
【国際調査報告】
2019513260.tif 000010
2019513260.tif 000011
2019513260.tif 000012
2019513260.tif 000013